(57)【要約】【課題】軒天板同士の隙間への取付けが容易で、取付け時に周囲の部材と干渉することがなく、しかも、取付けの施工性がよい軒天板継部材、軒天板継部材の施工方法、軒天板継部材を用いた建物を提供する。【解決手段】軒天板継部材ＣＪには隙間に沿って介装される平板状のウエブ部Ｗと、ウエブ部Ｗの上下両端縁から軒天板ＣＰ２に沿う方向に向かって互いに平行に延びる一対のフランジ部ＵＦ，ＬＦと、ウエブ部Ｗの下端縁からウエブ部Ｗに対して一対のフランジ部ＵＦ，ＬＦとは反対側に軒天板ＣＰ１に沿う方向に延びるカバーフランジ部ＭＦとが設けられ、軒天板ＣＰ２の隙間側の端部を一対のフランジ部ＵＦ，ＬＦにより挟持させることによって軒天板ＣＰ２に取り付けられ、予め軒裏に貼設されている軒天板ＣＰ１に、前記端部を隣接させて貼設することにより、カバーフランジ部ＭＦによって前記隙間を覆う。【選択図】図８
2008019637.tif 000002
【特許請求の範囲】
【請求項１】
軒裏に並設されて軒天井を構成する複数の軒天板のうち、互いに隣接する一方の軒天板と他方の軒天板との間に生じる隙間に介装されて該隙間を覆う軒天板継部材であって、
前記隙間に沿って介装される平板状のウエブ部と、該ウエブ部の上下両端縁から前記一方の軒天板に沿う方向に向かって互いに平行に延びる一対のフランジ部と、
前記ウエブ部の下端縁から該ウエブ部に対して前記一対のフランジ部とは反対側に前記他方の軒天板の下面に沿う方向に延びるカバーフランジ部とが設けられ、
前記一対のフランジ部により挟持することによって前記一方の軒天板の前記隙間側の端部に取り付けられ、前記軒裏に貼設されている前記他方の軒天板に前記一方の軒天板の前記隙間側の端部を隣接させて貼設し、前記カバーフランジ部によって前記一方の軒天板と前記他方の軒天板との隙間を覆うことを特徴とする軒天板継部材。
【請求項２】
請求項１に記載された軒天板継部材を用いた軒天井の施工方法であって、
前記一方の軒天板の前記隙間側の端部を前記一対のフランジ部により挟持することによって前記一方の軒天板に取り付け、予め前記軒裏に貼設されている前記他方の軒天板に前記隙間側の端部を隣接させて前記一方の軒天板を貼設することにより、前記カバーフランジ部によって前記隙間を覆うことを特徴とする軒天板継部材を用いた軒天井の施工方法。
【請求項３】
請求項１に記載された軒天板継部材を用いた軒天井の施工方法であって、
前記ウエブ部の両面にシール性を有する防水部材を貼設し、前記一方の軒天板の前記隙間側の端部を前記一対のフランジ部の間に挿入し前記防水部材に当接させて、前記一対のフランジ部により挟持することによって前記一方の軒天板に取り付け、予め前記軒裏に貼設されている前記他方の軒天板に前記隙間側の端部を隣接させて前記一方の軒天板を貼設することにより、前記両方の軒天板と前記ウエブ部との隙間を防水すると共に、前記カバーフランジ部によって前記隙間を覆うことを特徴とする軒天板継部材を用いた軒天井の施工方法。
【請求項４】
請求項１に記載された軒天板継部材が軒天井の施工に用いられることを特徴とする軒天板継部材を用いた建物。
【発明の詳細な説明】
【技術分野】
【０００１】
本発明は軒天板の継部に用いられる継部材に関する。
【背景技術】
【０００２】
従来から、軒天板の継部に用いられる軒天板継部材が知られている。
【０００３】
図１は本従来例に係る建物の部分斜視図であり、図２は本従来例の軒天板継部材の施工方法を説明する図１のＡ１矢視の斜視図、図３は軒天板継部材の部分斜視図、図４は組み付け状態にある軒天板継部材を長手方向軒先側から見た側面図である。
【０００４】
図１において、Ｈは建物であり、Ｂは建物Ｈの躯体、Ｗ１，Ｗ２は互いに隣接している外壁、Ｒ１，Ｒ２はそれぞれ外壁Ｗ１，Ｗ２の上部に接合されている屋根である。
【０００５】
図２に示すように、外壁Ｗ１の上部には屋根Ｒ１を構成している屋根パネルＲＰ１が接合され、外壁Ｗ２の上部には屋根Ｒ２を構成している屋根パネルＲＰ２が接合されており、屋根パネルＲＰ１と屋根パネルＲＰ２とは入隅部Ｃの上部で接合されている。
【０００６】
屋根パネルＲＰ１は、屋根Ｒ１の傾斜方向に伸びる複数の縦桟材Ｌと、これらの縦桟材Ｌと直交する横桟材Ｈ１とを有しており、縦桟材Ｌと横桟材Ｈ１等とによって枠体が組まれており、この枠体の上側に屋根面材ＲＢ１が貼設されてパネル状に形成されている。また、屋根パネルＲＰ２も同様に構成されている。
【０００７】
屋根パネルＲＰ１の軒裏側には、軒天板ＣＰ１，Ｐ，Ｐ…が外壁Ｗ１に沿って並べて貼設され、屋根パネルＲＰ２の軒裏側には、軒天板ＣＰ２，Ｐ，Ｐ…が外壁Ｗ２に沿って並べて貼設されている。
【０００８】
軒天板ＣＰ１，ＣＰ２，Ｐ，Ｐ…は、縦桟材Ｌなどに固定されており、各軒天板ＣＰ１，ＣＰ２，Ｐ…の間には隙間Ｓが生じている。
【０００９】
これらの隙間Ｓを軒下側から見えないように覆って化粧するために、図３に示すような軒天板継部材ＰＪが用いられる。
【００１０】
図４に示すように、軒天板継部材ＰＪには、隙間Ｓに沿って介装される平板状のウエブ部Ｗと、ウエブ部Ｗの上端縁と下端縁とから、それぞれ軒天板ＣＰ１の上面と下面とに沿って互いに平行に延びる一対のフランジ部ＵＦ１，ＬＦ１と、それぞれ軒天板ＣＰ２の上面と下面とに沿って互いに平行に延びる一対のフランジ部ＵＦ２，ＬＦ２とによって構成されている。
【００１１】
軒天板継部材ＰＪの取付け施工は、図２に示すように、例えば、軒天板ＣＰ１と軒天板ＣＰ２との間に形成された隙間Ｓに軒天板継部材ＰＪを軒先側から矢印Ａ２の方向に向かって挿入する。
【００１２】
このように、軒天板継部材ＰＪが挿入されると、図４に示すように、フランジ部ＬＦ１，ＬＦ２によって隙間Ｓが下側から覆われるために、軒下から見た際の見栄えがよくなる。
【００１３】
この他に、屋根パネルの桟材と軒天板との間に、軒天板継部材を挿入し易くするための隙間を予め形成して、この隙間に軒天板継部材を挿入する軒天構造および軒天施工方法が開示されている（特許文献１参照）。
【特許文献１】特開平１０−８８７３１号公報
【発明の開示】
【発明が解決しようとする課題】
【００１４】
しかしながら、従来例の軒天板継部材ＰＪでは、軒裏に複数の軒天板ＣＰ１，ＣＰ２，Ｐ，Ｐ…が予め取り付けられており、軒天板ＣＰ１，ＣＰ２，Ｐ，Ｐ…の取付け具合によっては、軒天板継部材ＰＪを挿入するのに隙間Ｓが十分ではなかったり、隙間が十分であったとしても、軒天板ＣＰ１，ＣＰ２，Ｐ，Ｐ…が僅かに曲がって取り付けられていたりすると、隙間Ｓに軒天板継部材ＰＪを挿入するのが困難であった。
【００１５】
また、軒天板継部材ＰＪの取付け位置に、例えば、桟材などが接近して設けられる場合があり、このような場合には、軒天板継部材ＰＪを隙間に挿入しようとしても、軒天板継部材ＰＪと桟材とが干渉して挿入できないおそれがあった。
【００１６】
また、特許文献１に開示の発明のように、屋根パネルの桟材と軒天板との間に、軒天板継部材を挿入するための隙間を形成すると、別途、隙間を設けるための調整材を必要とするだけでなく、この調整材を取り付けるために施工工数が増大してしまうという問題があった。
【００１７】
そこで、軒天板同士の隙間への取付けが容易で、取付け時に周囲の部材と干渉することがなく、しかも、取付けの施工性がよい軒天板継部材、軒天板継部材の施工方法、軒天板継部材を用いた建物を提供することを目的にしている。
【課題を解決するための手段】
【００１８】
上記目的を達成するために請求項１に記載された発明は、軒裏に並設されて軒天井を構成する複数の軒天板のうち、互いに隣接する一方の軒天板と他方の軒天板との間に生じる隙間に介装されて該隙間を覆う軒天板継部材であって、
前記隙間に沿って介装される平板状のウエブ部と、該ウエブ部の上下両端縁から前記一方の軒天板に沿う方向に向かって互いに平行に延びる一対のフランジ部と、
前記ウエブ部の下端縁から該ウエブ部に対して前記一対のフランジ部とは反対側に前記他方の軒天板の下面に沿う方向に延びるカバーフランジ部とが設けられ、
前記一対のフランジ部により挟持することによって前記一方の軒天板の前記隙間側の端部に取り付けられ、前記軒裏に貼設されている前記他方の軒天板に前記一方の軒天板の前記隙間側の端部を隣接させて貼設し、前記カバーフランジ部によって前記一方の軒天板と前記他方の軒天板との隙間を覆う軒天板継部材を特徴としている。
【００１９】
そして、請求項２に記載された発明は、請求項１に記載された軒天板継部材を用いた軒天井の施工方法であって、
前記一方の軒天板の前記隙間側の端部を前記一対のフランジ部により挟持することによって前記一方の軒天板に取り付け、予め前記軒裏に貼設されている前記他方の軒天板に前記隙間側の端部を隣接させて前記一方の軒天板を貼設することにより、前記カバーフランジ部によって前記隙間を覆う軒天板継部材を用いた軒天井の施工方法を特徴としている。
【００２０】
また、請求項３に記載された発明は、請求項１に記載された軒天板継部材を用いた軒天井の施工方法であって、
前記ウエブ部の両面にシール性を有する防水部材を貼設し、前記一方の軒天板の前記隙間側の端部を前記一対のフランジ部の間に挿入し前記防水部材に当接させて、前記一対のフランジ部により挟持することによって前記一方の軒天板に取り付け、予め前記軒裏に貼設されている前記他方の軒天板に前記隙間側の端部を隣接させて前記一方の軒天板を貼設することにより、前記両方の軒天板と前記ウエブ部との隙間を防水すると共に、前記カバーフランジ部によって前記隙間を覆う軒天板継部材を用いた軒天井の施工方法を特徴としている。
【００２１】
更に、請求項４に記載された発明は、請求項１に記載された軒天板継部材が軒天井の施工に用いられる軒天板継部材を用いた建物を特徴としている。
【発明の効果】
【００２２】
このように構成された本発明の請求項１乃至請求項４記載のものは、一対のフランジ部により一方の軒天板の端部を挟持することによって、一方の軒天板に軒天板継部材が取り付けられるので、この軒天板継部材が取り付けられている一方の軒天板を、予め貼設されている他方の軒天板に隣接させて取り付けるだけで、両方の軒天板の間に生じる隙間を覆うことができ、施工性がよい。
【００２３】
しかも、貼設された後は、この隙間がカバーフランジ部によって覆われるので見栄えがよい。
【００２４】
そして、請求項３記載のものは、ウエブ部の両面にシール性を有する防水部材を貼設し、一方の軒天板の端部を一対のフランジ部の間に挿入し防水部材に当接させて隙間を塞ぐため、一方の軒天板の端部と一対のフランジ部との隙間を通して水が浸入するのを防ぐことができると共に、
軒天板継部材が取り付けられている端部を予め軒裏に貼設されている他方の軒天板に隣接させて貼設するので、他方の軒天板の端部にウエブ部に貼設された防水部材が当接して隙間を塞ぐため、他方の軒天板の端部とウエブ部との隙間を通して水が浸入するのを防ぐことができる。
【発明を実施するための最良の形態】
【００２５】
以下、本発明に係る実施の形態の実施例に基づいて本発明を説明する。
【実施例】
【００２６】
本発明に係る実施の形態の実施例を図面に基づいて説明する。なお、従来例と同一乃至均等な部分については、従来例と同一の符号を付すものとする。
【００２７】
〈構成〉
図１は本実施例に係る建物の部分斜視図であり、図５〜図７は軒天板継部材の施工方法を説明する図１のＡ１矢視の斜視図である。
【００２８】
図５は軒天板継部材の一対のフランジ部に軒天板を挿入する様子を表し、図６は軒天板継部材が取り付けられた軒天板を隣の軒天板に隣接させて取り付ける様子を表し、図７は軒天板継部材の組み付け状態を表している。
【００２９】
図８は軒天板継部材の施工方法を説明する軒天板継部材を長手方向軒先側から見た側面図であり、（ａ）は軒天板継部材の一対のフランジ部に軒天板を挿入する様子を表し、（ｂ）は軒天板継部材が取り付けられた軒天板を隣の軒天板に隣接させて取り付ける様子を表し、（ｃ）は軒天板継部材の組み付け状態を表している。
【００３０】
図９は本実施例の軒天板継部材の部分斜視図であり、図１０は軒天板継部材の変形例の長手方向から見た側面図である。
【００３１】
図１０の（ａ）は外壁が出隅部を形成している場所の上部に用いられる軒天板継部材であり、図１０の（ｂ）は平らな外壁の上部に用いられる軒天板継部材である。
【００３２】
図１において、Ｈは建物であり、Ｂは建物Ｈの躯体、Ｗ１，Ｗ２は互いに隣接している外壁、Ｒ１，Ｒ２はそれぞれ外壁Ｗ１，Ｗ２の上部に接合されている屋根である。
【００３３】
外壁Ｗ１と外壁Ｗ２とは入隅を形成しており、屋根Ｒ１と屋根Ｒ２とは谷を形成している。
【００３４】
図５〜図７に示すように、外壁Ｗ１の上部には屋根Ｒ１を構成している屋根パネルＲＰ１が接合され、外壁Ｗ２の上部には屋根Ｒ２を構成している屋根パネルＲＰ２が接合されており、屋根パネルＲＰ１と屋根パネルＲＰ２とは入隅部Ｃの上部で接合されている。
【００３５】
屋根パネルＲＰ１は、屋根Ｒ１の傾斜方向に伸びる複数の縦桟材Ｌと、これらの縦桟材Ｌと直交する横桟材Ｈ１とを有しており、縦桟材Ｌと横桟材Ｈ１等とによって枠体が組まれており、この枠体の上側に屋根面材ＲＢ１が貼設されてパネル状に形成されている。
【００３６】
また、屋根パネルＲＰ２も同様に構成されている。
【００３７】
屋根パネルＲＰ１の軒裏側には、軒天板ＣＰ１，Ｐ，Ｐ…が外壁Ｗ１に沿って並べて貼設され、屋根パネルＲＰ２の軒裏側には、軒天板ＣＰ２，Ｐ，Ｐ…が外壁Ｗ２に沿って並べて貼設されている。
【００３８】
軒天板ＣＰ１，ＣＰ２，Ｐ，Ｐ…には硬質木片セメント板などが用いられ、軒天板Ｐは長方形状を呈しており、入隅部Ｃの上部に位置している軒天板ＣＰ１と軒天板ＣＰ２とは、それぞれ屋根パネルＲＰ１と屋根パネルＲＰ２との形状に合わせて端部が斜めに切断された台形形状を呈している。
【００３９】
軒天板ＣＰ１，ＣＰ２，Ｐ，Ｐ…は、縦桟材Ｌなどに固定されており、各軒天板ＣＰ１，ＣＰ２，Ｐ…の間には隙間Ｓが生じている。
【００４０】
これらの隙間Ｓを軒下側から見えないように覆って化粧するために、図９または図１０に示すような鋼板製の軒天板継部材ＣＪ，ＣＪ’，ＦＪが用いられる。
【００４１】
図８（ｃ）または図９に示すように、軒天板継部材ＣＪには、軒天板ＣＰ１と軒天板ＣＰ１との隙間に沿って介装される平板状のウエブ部Ｗと、ウエブ部Ｗの下端縁から軒天板ＣＰ１の下面に沿って延びるカバーフランジ部ＭＦと、ウエブ部Ｗの上端縁と下端縁とからそれぞれ軒天板ＣＰ２の上面と下面とに沿って互いに平行に延びる一対のフランジ部ＵＦ，ＬＦとによって構成されている。
【００４２】
軒天板継部材ＣＪの変形例としては、例えば、図１０（ａ）に示すように、隣接する外壁同士が出隅部を形成している場所の上部で用いられる軒天板継部材ＣＪ’や、図１０（ｂ）に示すように、真っすぐな外壁の上部で用いられる軒天板継部材ＦＪなどがある。
【００４３】
〈施工方法〉
軒天板継部材ＣＪを用いて軒天井を施工する際には、まず、図８（ａ）に示すように、軒天板継部材ＣＪのウエブ部Ｗの両面にシール性を有する防水部材ＷＰを予め貼設し、
次に、軒天板ＣＰ２の端部を一対のフランジ部ＵＦ，ＬＦの間に挿入して、図８（ｂ）に示すように、軒天板ＣＰ２の挿入側端縁を防水部材ＷＰに当接させた状態で軒天板ＣＰ２の端部を一対のフランジ部ＵＦ，ＬＦによって挟持させて、軒天板ＣＰ２に軒天板継部材ＣＪを取付け、
図８（ｃ）に示すように、この軒天板ＣＰ２を屋根パネルＲＢ１に予め貼設してある軒天板ＣＰ１に隣接させて取り付けることにより、フランジ部ＬＦとカバーフランジ部ＭＦとによって、軒天板ＣＰ１と軒天板ＣＰ２との間の隙間を覆う。
【００４４】
本実施例では、図５〜図７に示すように、軒天板ＣＰ１と軒天板ＣＰ２との隙間以外には、図１０（ｂ）に示すような軒天板継部材ＦＪが取り付けられている。
【００４５】
軒天板ＣＰ２を取り付ける際には、軒天板ＣＰ２の右側に隣接している軒天板Ｐには軒天板継部材ＦＪが予め取り付けられているので、この軒天板継部材ＦＪのカバーフランジ部ＭＦと、この軒天板継部材ＦＪの上部の縦桟材Ｌとの隙間に、軒天板ＣＰ２の端部を差し込んでから取り付ける。
【００４６】
〈作用効果〉
一対のフランジ部ＵＦ，ＬＦにより軒天板ＣＰ２の端部を挟持することによって、軒天板ＣＰ２に軒天板継部材ＣＪが取り付けられるので、この軒天板継部材ＣＪが取り付けられている軒天板ＣＰ２を、予め貼設されている軒天板ＣＰ１に隣接させて取り付けるだけで、軒天板ＣＰ１，ＣＰ２の間に生じる隙間を覆うことができ、施工性がよい。
【００４７】
しかも、貼設された後は、この隙間がカバーフランジ部ＭＦによって覆われるので見栄えがよい。
【００４８】
そして、ウエブ部Ｗの両面にシール性を有する防水部材ＷＰを貼設し、軒天板ＣＰ２の端部を一対のフランジ部ＵＦ，ＬＦの間に挿入し防水部材ＷＰに当接させて隙間を塞ぐため、軒天板ＣＰ２の端部と一対のフランジ部ＵＦ，ＬＦとの隙間を通して水が浸入するのを防ぐことができると共に、
軒天板継部材ＣＪが取り付けられている端部を予め軒裏に貼設されている軒天板ＣＰ１に隣接させて貼設するので、軒天板ＣＰ１の端部にウエブ部Ｗに貼設された防水部材ＷＰが当接して隙間を塞ぐため、軒天板ＣＰ１の端部とウエブ部Ｗとの隙間を通して水が浸入するのを防ぐことができる。
【００４９】
しかも、従来例の軒天板継部材ＰＪでは、予め取り付けられた軒天板ＣＰ１，ＣＰ２の隙間Ｓに、軒天板継部材ＰＪを軒側から挿入するので、予め軒天板継部材ＰＪに防水部材ＷＰを貼設しておくと、挿入時に防水部材ＷＰが剥がれてしまうおそれがあったが、
本発明の軒天板継部材ＣＪ，ＣＪ’ＦＪでは、予め防水部材ＷＰを貼設しておいても、防水部材ＷＰが剥がれることなく軒天板の貼設施工が行えるので、防水部材ＷＰの防水性を損なうことがない。
【００５０】
以上、図面を参照して、本発明の最良の実施の形態を詳述してきたが、具体的な構成は、この実施の形態に限らず、本発明の要旨を逸脱しない程度の設計的変更は、本発明に含まれる。
【００５１】
なお、本実施例では、軒天板継部材に鋼板製のものを用いたが、他の材質のものであってもよい。例えば、樹脂製のものであってもよい。
【００５２】
また、本実施例では、外壁同士の入隅部上部の軒天井に軒天板継部材ＣＪを用いる場合について説明したが、必ずしも、入隅部上部の軒天井に用いられるものではない。
【００５３】
例えば、出隅部上部の軒天井に、図１０（ａ）に示す変形例の軒天板継部材ＣＪ’を用いてもよいし、平らな外壁の上部の軒天井に、図１０（ｂ）に示す変形例の軒天板継部材ＦＪを用いてもよい。
【００５４】
更に、本実施例では、軒天板継部材ＣＪ，ＣＪ’ＦＪに、予め防水部材ＷＰを貼設してから取付けを行ったが、防水部材ＷＰを貼設せずに軒天板継部材ＣＪ，ＣＪ’ＦＪを取付けてもよい。
【００５５】
なお、軒天板継部材の形状は、軒天板継部材ＣＪ，ＣＪ’ＦＪの形状に限られるものではなく、平板状のウエブ部の上下両端縁から一方の軒天板に沿う方向に向かって互いに平行に延びる一対のフランジ部と、ウエブ部の下端縁からウエブ部に対して一対のフランジ部とは反対側に他方の軒天板に沿う方向に延びるカバーフランジ部とが設けられているものであればよい。
【図面の簡単な説明】
【００５６】
【図１】従来例と実施例とに共通の建物の部分斜視図である。
【図２】従来例の軒天板継部材の施工方法を説明する図であり、図１のＡ１矢視の斜視図である。
【図３】従来例の軒天板継部材の部分斜視図である。
【図４】従来例の軒天板継部材の組み付け状態を表す図であり、軒天板継部材を長手方向軒先側から見た側面図である。
【図５】実施例の軒天板継部材の施工方法を説明する図であり、図１のＡ１矢視の斜視図である。軒天板継部材の一対のフランジ部に軒天板を挿入する様子を表している。
【図６】実施例の軒天板継部材の施工方法を説明する図であり、図１のＡ１矢視の斜視図である。軒天板継部材が取り付けられた軒天板を隣の軒天板に隣接させて取り付ける様子を表している。
【図７】実施例の軒天板継部材の施工方法を説明する図であり、図１のＡ１矢視の斜視図である。軒天板継部材の組み付け状態を表している。
【図８】実施例の軒天板継部材の施工方法を説明する図であり、軒天板継部材を長手方向軒先側から見た側面図である。（ａ）は軒天板継部材の一対のフランジ部に軒天板を挿入する様子を表し、（ｂ）は軒天板継部材が取り付けられた軒天板を隣の軒天板に隣接させて取り付ける様子を表し、（ｃ）は軒天板継部材の組み付け状態を表している。
【図９】実施例の軒天板継部材の部分斜視図である。
【図１０】本発明に係る軒天板継部材の変形例の長手方向から見た側面図である。（ａ）は外壁が出隅部を形成している場所の上部に用いられる軒天板継部材であり、（ｂ）は平らな外壁の上部に用いられる軒天板継部材である。
【符号の説明】
【００５７】
Ｈ                      建物（軒天板継部材を用いた建物）
ＣＰ１，ＣＰ２，Ｐ      複数の軒天板
ＣＰ１                  他方の軒天板
ＣＰ２                  一方の軒天板
ＣＪ，ＣＪ’，ＦＪ      軒天板継部材
ＵＦ，ＬＦ              一対のフランジ部
Ｗ                      ウエブ部
ＭＦ                    カバーフランジ部
ＷＰ                    防水部材
【図１】
2008019637.tif 000003
【図２】
2008019637.tif 000004
【図３】
2008019637.tif 000005
【図４】
2008019637.tif 000006
【図５】
2008019637.tif 000007
【図６】
2008019637.tif 000008
【図７】
2008019637.tif 000009
【図８】
2008019637.tif 000010
【図９】
2008019637.tif 000011
【図１０】
2008019637.tif 000012